(57)【特許請求の範囲】
【請求項１】
棒状をなす軸部と、
前記軸部の外周面を覆うように設けられた第一筒部と、
前記軸部の外周面を覆うとともに、該軸部に対して該軸部の軸線回りに相対回転可能に、かつ、前記軸線の方向に相対移動可能に設けられ、使用位置で前記軸線の一方から前記第一筒部と前記軸線の方向に重なるように配置可能な第二筒部と、
前記第一筒部に周方向に間隔をあけて設けられ、前記使用位置で前記軸部の径方向に沿って放射状に延びるとともに、折り畳み位置で先端部が基端部に対して前記軸線の一方に配置されて前記軸線に沿う複数の腕部と、
前記第二筒部に前記複数の腕部に対応して設けられて、前記使用位置で前記第二筒部から前記軸部の径方向に沿って放射状に延びて前記複数の腕部を前記軸線の一方から支持するとともに、前記折り畳み位置で前記軸線に沿って配置される複数の支持腕部と、
を備え、
前記第二筒部は、前記軸部の径方向に突出する突起部を有し、
前記第一筒部は、前記径方向に突出し、前記突起部を案内して支持する案内支持部を有し、
前記案内支持部は、
前記軸部の周方向の一方に向かうに従って前記軸線の他方に向かって傾斜して、前記軸線の他方から前記突起部を案内可能な傾斜案内面と、
前記傾斜案内面における前記周方向の一方の端部に連続して前記周方向の他方に向かい、前記使用位置で前記軸線の一方から前記突起部を支持可能な支持面と、
前記軸部に設けられ、該軸部を前記軸線の他方から該軸線の方向が上下方向に沿うように被吊り下げ物に吊り下げ支持可能なフック部と、
を有するパラソルハンガー。
【請求項２】
前記第一筒部における前記支持面は、前記軸線の一方に凹み、前記突起部を配置可能な凹部を有する請求項１に記載のパラソルハンガー。
【請求項３】
前記第一筒部における前記突起部は、前記周方向に等間隔をあけて複数設けられ、
前記第二筒部における前記案内支持部は、複数の前記突起部の各々に対応するように複数設けられている請求項２に記載のパラソルハンガー。
【請求項４】
前記第一筒部の外周面を覆うとともに該第一筒部に対して前記軸線回りに相対回転可能に設けられて、前記複数の腕部を支持する第一環状部と、
前記第二筒部の外周面を覆うとともに該第二筒部に対して前記軸線回りに相対回転可能に設けられて、前記複数の支持腕部を支持する第二環状部と、
をさらに備え、
前記第一環状部及び前記第二環状部のうちの一方は、他方に向かって突出する凸片を有し、
前記第一環状部及び前記第二環状部のうちの前記他方は、前記使用位置で前記凸片が係合して前記第一環状部と前記第二環状部との前記周方向への相対移動を規制可能な係合部を有する請求項１から３のいずれか一項に記載のパラソルハンガー。
【発明の詳細な説明】
【技術分野】
【０００１】
本発明は、折り畳み可能なパラソルハンガーに関する。
【背景技術】
【０００２】
パラソル型部材として、例えば傘、ビーチパラソル、及び物干し用のパラソルハンガー等が知られている。
【０００３】
特許文献１には物干し用のパラソルハンガーが開示されている。このパラソルハンガーは、物干し等の被吊り下げ物に吊り下げられ、例えばタオルや下着等の洗濯物を干す際に用いられる。そして特許文献１に開示されているように、パラソルハンガーには放射状に複数の腕部（ハンガーアーム）が設けられており、これらの腕部が折り畳み可能となっている。
【０００４】
また特許文献２には、庭園に設置されるガーデンパラソルが開示されている。このようなパラソルは折り畳み時には、傘の部分が下方に折り畳まれるようになっている。
【先行技術文献】
【特許文献】
【０００５】
【特許文献１】特開２００３−２４６９７号公報
【特許文献２】特開平７−１６１１１号公報
【発明の概要】
【発明が解決しようとする課題】
【０００６】
ここでパラソルハンガーでは洗濯物等を腕部に掛けるため、腕部には上方から洗濯等の荷重が作用する。このため、特許文献１に開示された従来のパラソルハンガーでは、腕部の耐荷重性を向上させるため、特許文献２に開示されたガーデンパラソルとは異なり、折り畳み時には腕部を上方に向かって折り畳む構造とすることが一般的である。
しかしながら、上方に向かって折り畳む構造のパラソルハンガーでは、腕部に掛けられた洗濯物等を、腕部から一つ一つ取り外して回収した後に折り畳む必要があるため、例えば洗濯物を回収するのに非常に手間を要してしまうという問題がある。
【０００７】
そこで本発明では、耐荷重を向上しつつ、腕部を下方に折り畳み可能な構造を有するパラソルハンガーを提供する。
【課題を解決するための手段】
【０００８】
即ち、本発明の第一の態様に係るパラソルハンガーは、棒状をなす軸部と、前記軸部の外周面を覆うように設けられた第一筒部と、前記軸部の外周面を覆うとともに、該軸部に対して該軸部の軸線回りに相対回転可能に、かつ、前記軸線の方向に相対移動可能に設けられ、使用位置で前記軸線の一方から前記第一筒部と前記軸線の方向に重なるように配置可能な第二筒部と、前記第一筒部に周方向に間隔をあけて設けられ、前記使用位置で前記軸部の径方向に沿って放射状に延びるとともに、折り畳み位置で先端部が基端部に対して前記軸線の一方に配置されて前記軸線に沿う複数の腕部と、前記第二筒部に前記複数の腕部に対応して設けられて、前記使用位置で前記第二筒部から前記軸部の径方向に沿って放射状に延びて前記複数の腕部を前記軸線の一方から支持するとともに、前記折り畳み位置で前記軸線に沿って配置される複数の支持腕部と、を備え、前記第二筒部は、前記軸部の径方向に突出する突起部を有し、前記第一筒部は、前記径方向に突出し、前記突起部を案内して支持する案内支持部を有し、前記案内支持部は、前記軸部の周方向の一方に向かうに従って前記軸線の他方に向かって傾斜して、前記軸線の他方から前記突起部を案内可能な傾斜案内面と、前記傾斜案内面における前記周方向の一方の端部に連続して前記周方向の他方に向かい、前記使用位置で前記軸線の一方から前記突起部を支持可能な支持面と、前記軸部に設けられ、該軸部を前記軸線の他方から該軸線の方向が上下方向に沿うように被吊り下げ物に吊り下げ支持可能なフック部と、を有している。
【０００９】
このようなパラソルハンガーでは、軸部に対して第二筒部を軸線の方向の一方から他方に向かって動作させて第一筒部と第二筒部とを近接させて、これらを軸線の方向に重ねるとともに、第二筒部を軸部及び第一筒部に対して周方向の一方に回転させる。すると、第一筒部と第二筒部とにそれぞれ設けられた突起部が案内支持部の傾斜案内面によって案内されて周方向の一方に向かいつつ軸線の他方に向かう。これにより第二筒部は軸線回りに回転しつつ軸線の方向の一方に向かって動作する。そして、傾斜案内面における周方向の一端に突起部が到達した後、第二筒部を軸部及び第一筒部に対して周方向の他方に回転させると、使用位置で支持面によって突起部を軸線の方向の一方から支持することができる。そしてこのように第一筒部と第二筒部とが相対的に動作した際には、支持腕部は軸線の一方から他方に向かって第二筒部とともに軸部に対して動作し、使用位置で腕部を軸線の一方から支持して、腕部を径方向に沿って延びるように放射状に配置することができる。
このように、使用位置では第二筒部の突起部が軸線の一方から案内支持部の支持面に支持されているため、使用位置で第一筒部に対して第二筒部が軸線の方向に離れるように動作してしまうことがない。この結果、使用位置では、腕部に軸線の一方に向かって荷重が作用したとしても、この荷重を支持面で受けることができる。従って、このような腕部への荷重によって支持腕部が軸線方向の一方へ押されて、支持腕部が勝手に動作してしまうことがなくなる。よって腕部に荷重が作用しても、使用位置で腕部が放射状に延びた状態を保持することができる。
【００１０】
また、本発明の第二の態様に係るパラソルハンガーでは、上記第一の態様に係る前記第一筒部における前記支持面は、前記軸線の一方に凹み、前記突起部を配置可能な凹部を有していてもよい。
【００１１】
このような凹部によって、使用位置で第二筒部の突起部が凹部に配置されることで、周方向への突起部の移動を規制することができる。従って、使用位置で第一筒部と第二筒部との間の相対移動を規制でき、使用位置で腕部が放射状に延びた状態を保持することができる。
【００１２】
また、本発明の第三の態様に係るパラソルハンガーでは、上記第二の態様に係る前記第一筒部における前記突起部は、前記周方向に等間隔をあけて複数設けられ、前記第二筒部における前記案内支持部は、複数の前記突起部の各々に対応するように複数設けられていてもよい。
【００１３】
このように、複数の突起部と複数の案内支持部とを設けることで、使用位置で複数の支持面で腕部への荷重を支持することができる。よって、使用位置で第一筒部と第二筒部との軸線方向への相対移動をさらにしっかりと規制することができ、使用位置で腕部が放射状に延びた状態を保持することができる。
また、複数の突起部及び案内支持部を設けることで、第二筒部を第一筒部に対して回転させる際、第二筒部の突起部が第一筒部の案内支持部の傾斜案内面に接触するまでの第二筒部の回転量を低減することができる。よってさらに容易に腕部を使用位置に配置することができる。
【００１４】
また、本発明の第四の態様に係るパラソルハンガーは、上記第一から第三のいずれかの態様に係る第一筒部の外周面を覆うとともに該第一筒部に対して前記軸線回りに相対回転可能に設けられて、前記複数の腕部を支持する第一環状部と、前記第二筒部の外周面を覆うとともに該第二筒部に対して前記軸線回りに相対回転可能に設けられて、前記複数の支持腕部を支持する第二環状部とをさらに備え、前記第一環状部及び前記第二環状部のうちの一方は、他方に向かって突出する凸片を有し、前記第一環状部及び前記第二環状部のうちの前記他方は、前記使用位置で前記凸片が係合して前記第一環状部と前記第二環状部との前記周方向への相対移動を規制可能な係合部を有していてもよい。
【００１５】
このように、使用位置で凸片が係合部に係合することで第一環状部材と第二環状部材との相対回転が規制される。ここで、第一環状部は腕部を第一筒部に対して回転可能としており、第二環状部は支持腕部を第二筒部に対して回転可能としている。このため、凸片と係合部との係合によって、腕部と支持腕部とが共に、第一筒部、第二筒部、及び軸部に対して軸線回りに回転可能となる。
【００１７】
本発明の各態様に係るパラソルハンガーでは、使用位置で突起部が案内支持部の支持面に支持されるため、第一筒部と第二筒部との軸線方向への相対移動を規制できる。よって、腕部に荷重が作用しても、使用位置で腕部が放射状に延びた状態を保持することができ、腕部に掛ける洗濯物等に対する耐荷重を向上させることができる。
さらに、折り畳み位置では、腕部の先端部が基端部に対して前記軸線の一方に配置されるため、使用位置から折り畳み位置に腕部を動作させる際には、全ての腕部を下方に向かって、一気に折り畳むことができる。よって、腕部に掛けられた洗濯物等を一つ一つ腕部から取り外して回収する必要がなく、腕部の折り畳み動作によって一気に洗濯物等の回収が可能となる。
また、使用者が第二筒部を第一筒部に向かって動作させることで、一気に全ての腕部を使用位置に配置することができる。従って、洗濯物等を干す作業の時短効果が得られる。
また、使用者が第二筒部を第一筒部に向かって動作させることで、使用者から腕部が遠ざかるように、即ち傘を開くような動作で腕部を使用位置に配置することができる。従って、腕部によって使用者が恐怖感を感じることがない。
さらに、腕部を下方から上方に持ち上げるようにして開き、使用位置に配置することができる。このため、床面に近い位置に配置される低竿（被吊り下げ物）にパラソルハンガーを設置した際に、腕部をより床面から離れた位置に配置することができる。よって、洗濯物をこのような低竿に干すことが可能となる。
【発明の効果】
【００１８】
上記のパラソルハンガーによると、第一筒部の突起部と第二筒部の案内支持部とによって、耐荷重を向上しつつ、腕部を下方に折り畳み可能な構造を設けることができる。
【図面の簡単な説明】
【００１９】
【図１】本発明の実施形態に係るパラソルハンガーの使用位置での状態を示す全体斜視図である。
【図２】本発明の実施形態に係るパラソルハンガーの要部拡大図（図１のＸ部）であって、軸線に沿う断面を示す図である。
【図３】本発明の実施形態に係るパラソルハンガーの上部筒部、上部環状部、及び下部筒部の展開斜視図である。
【図４】本発明の実施形態に係るパラソルハンガーの下部筒部を拡大して示す正面図である。
【図５】本発明の実施形態に係るパラソルハンガーの上部環状部及び下部環状部の展開斜視図である。
【図６】本発明の実施形態に係るパラソルハンガーの折り畳み位置での状態を示す全体斜視図である。
【図７】本発明の実施形態に係るパラソルハンガーの上部筒部における案内支持部を径方向内側から視た図であって、案内支持部によって第二筒部の突起部が案内される様子を示す模式図である。
【発明を実施するための形態】
【００２０】
以下、本発明の実施形態に係るパラソルハンガー１について説明する。
図１に示すように、パラソルハンガー１は、パラソル型部材２と、パラソル型部材２を物干し竿等の被吊り下げ物１００に吊り下げて支持可能なフック部３とを備えている。
【００２１】
図２に示すように、パラソル型部材２は、棒状をなす軸部１１と、軸部１１の外周面の一部を覆うように設けられた上部筒部（第一筒部）１２及び下部筒部（第二筒部）１３と、上部筒部１２に設けられた腕部１４と、下部筒部１３に設けられた支持腕部１５とを備えている。
さらに、本実施形態のパラソル型部材２は、腕部１４を上部筒部１２に支持する上部環状部（第一環状部）１６と、支持腕部１５を下部筒部１３に支持する下部環状部（第二環状部）１７とをさらに備えている。
【００２２】
軸部１１は、本実施形態では中空の丸棒状をなしている。
ここで本実施形態では、フック部３によってパラソル型部材２が被吊り下げ物１００に吊り下げられた状態を基準として、軸部１１の軸Ｏの一方を下方とし、軸線Ｏの他方を上方とする。
【００２３】
上部筒部１２は、軸部１１の上端部で軸部１１の外周面を覆うように設けられた軸線Ｏを中心とした円筒状をなしている。上部筒部１２は、軸部１１に対して軸線Ｏ回りに相対回転不能に軸部１１に固定して設けられている。上部筒部１２は樹脂製の部材である。
また上部筒部１２は、軸部１１の外周面との間に隙間なく設けられた上部本体部２１と、上部本体部２１の下方に上部本体部２１と一体に設けられて軸部１１の外周面との間で隙間を画成するように内径寸法が上部本体部２１の内径寸法より大きくなった拡径部２２とを有している。よって上部本体部２１と拡径部２２との間には、軸線Ｏの方向を向く面を有する環状の段差部２３が設けられている。
【００２４】
図３に示すように、上部筒部１２における拡径部２２の外周面には、径方向に内外を連通する開口部２４が形成されている。そして開口部２４に対応する位置で、拡径部２２の内周面には径方向内側に突出する案内支持部２５が設けられている。本実施形態では、これら開口部２４及び案内支持部２５は、周方向に等間隔を空けて複数（三か所）設けられている。
【００２５】
各々の開口部２４は、拡径部２２の上端から下方に向かって軸線Ｏの方向の中途位置まで開口する略矩形状の開口形状をなしている。
【００２６】
各々の案内支持部２５は、下方を向いて開口部２４における下方に設けられた傾斜案内面３１と、傾斜案内面３１に連続する周方向端面３２と、周方向端面３２に連続する支持面３３と、支持面３３に連続する係止面３４と、係止面３４と周方向に並んで設けられて傾斜案内面３１に接続された周方向背面３５とを有している。
【００２７】
傾斜案内面３１は、軸部１１の周方向の一方に向かうに従って上方に傾斜している。
【００２８】
周方向端面３２は、傾斜案内面３１における周方向の一方側の端部に連続して上方に延び、開口部２４の下縁に接続されている。この周方向端面３２と傾斜案内面３１との間の縁部は、角が形成されないようにＲ面取りされた滑らかな曲面状をなしている。
【００２９】
支持面３３は、上方を向き、周方向端面３２の上端に連続して開口部２４の下縁に沿って周方向の他方に延びて、開口部２４の側縁に接続された平面である。またこの支持面３３は、開口部２４の側縁に連続して、開口部２４の下縁から下方に凹む凹部３３ａを有している。
【００３０】
係止面３４は、周方向の一方を向いて支持面３３の凹部３３ａにおける周方向の他方側の底面、及び開口部２４の側縁に連続して上方に延び、上部筒部１２の段差部２３に接続されている。この係止面３４は、軸線Ｏと平行に延びる平面である。
【００３１】
周方向背面３５は、周方向の他方を向いて段差部２３に接続されるとともに支持面３３の凹部３３ａを越えて下方に延び、傾斜案内面３１の周方向の他方側の端部に接続されている。この周方向背面３５は、段差部２３から係止面３４と平行に延びて、即ち軸線Ｏと平行に延びて周方向の他方を向いている。また、周方向背面３５と傾斜案内面３１との間の縁部は、角が形成されないようにＲ面取りされた滑らかな曲面状をなしている。
【００３２】
下部筒部１３は、上部筒部１２と同様に軸部１１の外周面に設けられた軸線Ｏを中心とした筒状をなしている。下部筒部１３は、軸部１１に対して軸線Ｏ回りに相対回転可能に、かつ、軸線Ｏの方向に相対移動可能に軸部１１に設けられている。
また下部筒部１３は、下方から上部筒部１２と軸線Ｏの方向に重なるように配置可能となっている。具体的には、下部筒部１３の上部が、拡径部２２と軸部１１との間に挿入可能となっている。下部筒部１３は樹脂製の部材である。
【００３３】
下部筒部１３は、筒状をなす下部本体部４１と、下部本体部４１の外周面における上端の位置で径方向外側に、上部筒部１２と下部筒部１３とが軸線Ｏの方向に重なった状態で拡径部２２の内周面に向かって突出する突起部４２とを有している。
【００３４】
本実施形態では突起部４２は、上部筒部１２の案内支持部２５に対応するように周方向に等間隔を空けて複数（三か所）設けられている。
図４に示すように、各々の突起部４２は、上方を向いて下部本体部４１の上端から下方に向かって径方向外側に向かって傾斜する傾斜上面４３と、径方向外側を向き傾斜上面４３に連続して下方に延びる平面状の径方向面４４と、径方向面４４の下端に連続して下部本体部４１に向かって径方向内側に向かって延びる平面状の下面４５とを有している。
さらに突起部４２は、周方向の両側で周方向を向き、傾斜上面４３と径方向面４４と下面４５とを接続する平面状をなす一対の周方向面４６を有している。
【００３５】
また、これら傾斜上面４３、径方向面４４、下面４５、及び一対の周方向面４６は互いに角の無い状態で滑らかに接続されている。即ち突起部４２の全ての縁部は角が無いようにＲ面取りされた曲面状をなしている。
【００３６】
さらに下部筒部１３では、突起部４２の下方であって下部本体部４１の延在方向の中途位置に、軸線Ｏを中心として環状をなして下部本体部４１の外周面から径方向に突出する環状突出部４７が設けられている。環状突出部４７には、外周面から径方向内側に向かって軸線Ｏを中心とした環状に凹む環状凹部４７ａが設けられている。
【００３７】
さらに、下部本体部４１には、環状凹部４７ａと下部本体部４１の下端との間にわたって下部本体部４１の外周面から径方向外側に突出する把持部４８（図３参照）が、下部本体部４１と一体に設けられている。
【００３８】
図２、図３、及び図５に示すように、上部環状部１６は、上部筒部１２の外周側に設けられて上部筒部１２の外周面の一部を覆う軸線Ｏを中心とした環状をなす樹脂製の部材である。
具体的には図２に示すように、上部環状部１６は上部筒部１２の段差部２３の上部に載置された内側筒部５１と、段差部２３の径方向外側で内側筒部５１と一体に内側筒部５１から下方に環状に突出する環状突出部５２と、内側筒部５１と一体に内側筒部５１から径方向外側に環状に突出する腕取付部５３とを有している。
【００３９】
内側筒部５１は、上部筒部１２に対して軸線Ｏ回りに相対回転可能に設けられた筒状部材である。
【００４０】
環状突出部５２には、下端から上方に向かって切り欠かれるように溝部（係合部）５２ａが設けられている。溝部５２ａは径方向視で矩形状をなしている。溝部５２ａの下端部には環状突出部５２における下端縁に滑らかに接続されるように、角が形成されないように、Ｒ面取りされた溝部曲面５２ｂが設けられている。
本実施形態では溝部５２ａは周方向に等間隔を空けて複数（二箇所）設けられている。
【００４１】
図３及び図５に示すように腕取付部５３には外周面から径方向内側に向かって径方向の中途位置まで凹むようにして、径方向に沿って延びる複数の放射溝５３ａが設けられている。
各々の放射溝５３ａは腕取付部５３を上下に貫通しており、径方向内側の底面５３ｂは軸線Ｏに平行な平面状をなしている。
さらに図５に示すように、各々の放射溝５３ａ内には、放射溝５３ａの径方向の中途位置で軸部１１の接線方向に延びるように、周方向に隣接する放射溝５３ａ同士の間にわたって腕支持軸５３ｃが設けられている。
【００４２】
また、腕取付部５３には、放射溝５３ａよりも径方向内側で、かつ、環状突出部５２の径方向外側で下端面から上方に向かって凹む軸線Ｏを中心とした環状をなす下部環状凹部５３ｅが形成されている。
また、腕取付部５３の上面は、周方向に隣接する放射溝５３ａ同士の間で径方向外側に向かうに従って下方に滑らかに湾曲する湾曲面５３ｆとなっている。
【００４３】
図１及び図２に示すように腕部１４は、腕取付部５３における各放射溝５３ａに一つずつ一端が挿入されて設けられている。各々の腕部１４は棒状をなしている。腕部１４は、軸部１１の径方向に沿って放射状に延びた状態で配置可能となっている。腕部１４は樹脂製の部材である。
【００４４】
各々の腕部１４は、放射溝５３ａに支持される側の基端部となる基部６１と、基部６１の端部に連続して放射溝５３ａから離れる方向に延びる腕部本体部６２とを有している。
ここで以下では、腕部本体部６２が径方向に沿って延びるように配置された状態での腕部１４の位置を使用位置Ｐ１（図１に示す位置）とする。
【００４５】
基部６１は、腕支持軸５３ｃに支持されて、使用位置Ｐ１で放射溝５３ａから上方に軸線Ｏに沿って延びている。さらに基部６１は、軸部１１の接線方向に延びる腕支持軸５３ｃの軸線５３ｄを中心として、上部環状部１６に対して回動可能となっている。また基部６１は、放射溝５３ａの底面５３ｂに接触可能となっている。
【００４６】
基部６１が放射溝５３ａの底面５３ｂに接触した使用位置Ｐ１では、基部６１から離れる側の腕部１４の先端部の上方への回動が、放射溝５３ａの底面５３ｂによって規制されるようになっている。
【００４７】
腕部本体部６２における基部６１側の端部には、使用位置Ｐ１を基準として腕部本体部６２と一体に腕部本体部６２から上方に突出するとともに、径方向外側に腕部本体部６２に沿って延びる基端クリップ部６３が設けられている。
【００４８】
基端クリップ部６３の上面６３ａは、腕部本体部６２の上面に沿った平面状をなしている。
【００４９】
また、腕部１４の先端部となる腕部本体部６２の基部６１から離れる側の端部には、使用位置Ｐ１を基準として腕部本体部６２と一体に腕部本体部６２から上方に突出して径方向内側に向かって基端クリップ部６３に向かって延びる先端クリップ部６４が設けられている。
【００５０】
先端クリップ部６４は、基端クリップ部６３と同様の形状をなしている。即ち、先端クリップ部６４の上面６４ａは腕部本体部６２の上面に沿った平面状をなしている。
【００５１】
さらに腕部本体部６２には、図１に示すように、延在方向の中途位置で、使用位置Ｐ１を基準として下方に突出する板状をなす支持片６５が設けられている。支持片６５には、軸部１１の接線方向に延びる支持軸６６が設けられている。
【００５２】
図２及び図５に示すように、下部環状部１７は、下部筒部１３の外周側に設けられて外周面の一部を覆う軸線Ｏを中心とした環状をなす樹脂製の部材である。
具体的には下部環状部１７は、下部筒部１３の環状凹部４７ａに支持される内側環状部７１と、内側環状部７１と一体に内側環状部７１から径方向外側に環状に突出する支持腕取付部７２と、支持腕取付部７２から上方に突出する凸片７２ａ（図５参照）とを有している。
【００５３】
内側環状部７１は、径方向内側の部分が下部筒部１３の環状凹部４７ａ内に配置されて、下部筒部１３に対して軸線Ｏ回りに相対回転可能であるとともに、下部筒部１３に対して軸線Ｏの方向の相対移動不能となっている。
【００５４】
支持腕取付部７２には、外周面から径方向内側に向かって径方向の中途位置まで凹むようにして、径方向に沿って延びる複数の放射溝７２ｂが設けられている。各々の放射溝７２ｂは支持腕取付部７２を上下に貫通しており、径方向内側の底面７２ｃは軸線Ｏに平行な平面状をなしている。
さらに図５に示すように、各々の放射溝７２ｂ内には、放射溝７２ｂの径方向の中途位置で軸部１１の接線方向に延びる支持腕支持軸７２ｄが設けられている。
【００５５】
凸片７２ａは、上部環状部１６における溝部５２ａに対応するように設けられている。本実施形態では凸片７２ａは支持腕取付部７２に周方向に等間隔を空けて複数（二箇所）設けられている。
各々の凸片７２ａは、支持腕取付部７２の上端縁から軸線Ｏに沿って上方に突出している。そして凸片７２ａは、使用位置Ｐ１で溝部５２ａ内に配置されて溝部５２ａに係合することで、上部環状部１６と下部環状部１７との周方向への相対移動を規制可能となっている。
【００５６】
図１及び図２に示すように支持腕部１５は、支持腕取付部７２における各放射溝７２ｂに一つずつ一端が挿入され手設けられている。各々の支持腕部１５は棒状をなしている。支持腕部１５は、軸部１１の径方向に沿って放射状に延びた状態で配置可能となっている。支持腕部１５は樹脂製の部材である。
【００５７】
各々の支持腕部１５は、放射溝７２ｂに支持される側の基端部で、支持腕支持軸７２ｄに支持されて、軸部１１の接線方向に延びる支持腕支持軸７２ｄの軸線７２ｅを中心として、下部環状部１７に対して回動可能となっている。また、支持腕部１５の基端部は、使用位置Ｐ１で放射溝７２ｂの底面７２ｃに接触可能となっている。支持腕部１５の基端部が放射溝７２ｂの底面７２ｃに接触した使用位置Ｐ１では、支持腕部１５における支持腕取付部７２から離れる側の先端部の下方への回動が、放射溝７２ｂの底面７２ｃによって規制されるようになっている。
【００５８】
また支持腕部１５は、先端部で、腕部１４の支持片６５の支持軸６６に取り付けられている。これにより、支持腕部１５は使用位置Ｐ１で、軸部１１の接線方向に延びる支持軸６６の軸線６６ａを中心に、腕部１４に対して回動可能に腕部１４を下方から支持している。
【００５９】
図１及び図２に示すように、フック部３は、軸部１１の上端部で、上部筒部１２及び軸部１１に固定されている。
フック部３は、被吊り下げ物１００を覆うようにＣ字状の開口８１ａが設けられたフック本体８１と、フック本体８１の開口８１ａを開閉可能な可動部８２と、可動部８２をフック本体８１に向かって押しつける弾性部材８３とを有している。
フック部３では、外力が加えられない状態では、弾性部材８３の弾性力によって可動部８２がフック本体８１に押し付けられて、フック本体８１の開口８１ａが閉じられている。
【００６０】
ここで本実施形態では、軸部１１にはフック部開閉機構８５が設けられている。フック部開閉機構８５は、例えば軸部１１の下端部に設けられたレバー部８６と、レバー部８６とフック部３の弾性部材８３とを連結する伝達部８７とを有している。
【００６１】
伝達部８７は例えば軸部１１の内部に配置されたワイヤー等であって、レバー部８６を操作することで伝達部８７を通じて弾性部材８３を引っ張り、可動部８２を動作させる。そしてフック本体８１の開口８１ａを開放するようになっている。
【００６２】
次に、図１、図６及び図７を参照して、パラソルハンガー１の折り畳み動作について説明する。
【００６３】
図６に示すように、腕部１４が折り畳み位置Ｐ２に有る状態では、腕部１４の基端部となる基部６１に対して、腕部１４の先端部となる腕部本体部６２の端部が下方に配置されるとともに、腕部本体部６２が軸線Ｏに沿って延びるように配置されている。
【００６４】
また支持腕部１５については、先端部に対して基端部が下方に配置されるとともに、軸線Ｏに沿って延びるように配置されている。この折り畳み位置Ｐ２では、下部筒部１３及び下部環状部１７は、上部筒部１２及び上部環状部１６に対して軸線Ｏの方向に下方に離なれた位置に配置されている。
【００６５】
この折り畳み位置Ｐ２から、下部筒部１３及び下部環状部１７を把持部４８を把持しつつ（図１、図３参照）、上部筒部１２に向かって上方に移動させると、上部筒部１２の拡径部２２と軸部１１との間に下部筒部１３の上部が挿入される（図２参照）。
【００６６】
この際、図７に示すように、下部筒部１３の突起部４２を上部筒部１２の案内支持部２５に接触させる。即ち、突起部４２の傾斜上面４３を、下方から案内支持部２５の傾斜案内面３１に接触させる（図７の位置Ａ）。
【００６７】
このように突起部４２と案内支持部２５とを接触させた状態で、下部筒部１３を上部筒部１２に対して周方向の一方に回転させることで、傾斜案内面３１によって上方から突起部４２を案内する（図７の位置Ａから位置Ｂ）。そして突起部４２が傾斜案内面３１の周方向の一方側の端部に到達すると、突起部４２の周方向面４６が案内支持部２５の周方向端面３２によって上方に案内され（図７の位置Ｃ）、下部筒部１３がさらに上方に移動する。
【００６８】
その後、突起部４２の下面４５が案内支持部２５の周方向端面３２を乗り越えると、下面４５は支持面３３に案内される（図７の位置Ｃから位置Ｄ）。これにより下部筒部１３が周方向の他方に向かって移動するように、上部筒部１２に対して下部筒部１３を周方向の他方に回転させると、支持面３３の凹部３３ａ内に突起部４２の少なくとも一部が配置される（図７の位置Ｅ）。この際、突起部４２の周方向面４６が案内支持部２５の係止面３４によって周方向から係止されて、突起部４２が支持される。
【００６９】
このようにして下部筒部１３が上部筒部１２に対して下方へ相対移動しないように、下部筒部１３の軸線Ｏの方向の位置が固定される。
【００７０】
さらに、突起部４２の少なくとも一部が凹部３３ａ内に配置されると、上部環状部１６の溝部５２ａに下部環状部１７の凸片７２ａが一つずつ挿入されて上部環状部１６と下部環状部１７との周方向への相対移動が規制される。
【００７１】
このように突起部４２が案内支持部２５に案内されて支持される一連の動作の間に、下部筒部１３とともに支持腕部１５の基端部が上方に移動しつつ、支持腕部１５の先端部が腕部１４の先端部を上方に持ち上げるようにして腕部１４を腕支持軸５３ｃの軸線５３ｄ回りに回動させ、図１に示す使用位置Ｐ１に腕部１４を配置する。
また、上部筒部１２と下部筒部１３を上述とは逆に動作させることで、腕部１４を使用位置Ｐ１から折り畳み位置Ｐ２に配置可能となっている。
【００７２】
以上説明した本実施形態のパラソルハンガー１では、上部筒部１２と下部筒部１３とを近接させ、下部筒部１３を軸部１１及び上部筒部１２に対して周方向の一方に回転させる。この際、突起部４２を傾斜案内面３１で案内し、使用位置Ｐ１で突起部４２を支持面３３によって下方から支持することができる。
【００７３】
よって、使用位置Ｐ１では上部筒部１２に対して下部筒部１３が軸線Ｏの方向に離れるように動作してしまうことを抑制できる。この結果、使用位置Ｐ１では、腕部１４に掛けられた洗濯物等の重量によって、腕部１４に下方に向かって荷重が作用したとしても、この荷重を支持面３３で受けることができる。
【００７４】
従って、このような腕部１４への荷重によって支持腕部１５が軸線Ｏの方向に下方に押されて、支持腕部１５が使用位置Ｐ１から折り畳み位置Ｐ２へ勝手に動作してしまうことがなくなる。よって腕部１４に下方への荷重が作用しても、使用位置Ｐ１で腕部１４が径方向に放射状に延びた状態を保持することができる。
【００７５】
よって、パラソルハンガー１が腕部１４を下方に折り畳み可能な構造を有していても、耐荷重性を向上することが可能となる。特に本実施形態では、突起部４２及び案内支持部２５が複数設けられているため、腕部１４への荷重を複数の支持面３３に分散して支持することが可能となり、パラソルハンガー１の耐荷重性のさらなる向上が可能となる。
【００７６】
また、複数の突起部４２、及び案内支持部２５を設けることで、下部筒部１３を上部筒部１２に対して回転させる際、突起部４２が案内支持部２５の傾斜案内面３１に接触するまでの下部筒部１３の回転量を低減することができる。よってさらに容易に腕部１４を使用位置Ｐ１に配置することができる。
【００７７】
また、支持面３３の凹部３３ａに突起部４２が配置されることで、周方向に突起部４２の移動を規制することができる。従って、使用位置Ｐ１での上部筒部１２と下部筒部１３との間の周方向への相対移動を規制できる。さらに本実施形態では、軸線Ｏと平行に延びる係止面３４が凹部３３ａに連続して設けられているため、凹部３３ａに配置された突起部４２を周方向の他方から係止面３４に接触させることが可能であり、凸部の周方向の他方への動作を規制することができる。従って、より確実に、使用位置Ｐ１では腕部１４が径方向に放射状に延びた状態を保持することができる。
【００７８】
さらに、使用位置Ｐ１で凸片７２ａを溝部５２ａに係合させることで上部環状部１６と下部環状部１７との間で相対回転が規制される。よって、腕部１４と支持腕部１５とが共に、軸線Ｏ回りに、上部筒部１２、下部筒部１３、及び軸部１１に対して回転可能となる。従って、腕部１４に洗濯物等を掛ける作業や、洗濯物等を取り外して回収する作業を行う際には、作業者は一か所にとどまったまま、腕部１４を回転させてこれらの作業を行うことができる。従って、作業性の向上を図ることができる。
【００７９】
さらに、使用位置Ｐ１から折り畳み位置Ｐ２に腕部１４を動作させる際には、腕部１４の先端部を下方に向かって折り畳むことができる。よって腕部１４に掛けられた洗濯物等を一つ一つ腕部１４から取り外して回収する必要がなく、腕部１４の折り畳み動作によって、一気に洗濯物等の回収が可能となる。従って、作業性のさらなる向上を図ることができる。
【００８０】
また、折り畳み位置Ｐ２に腕部１４が有る状態から、使用者が下部筒部１３を上部筒部１２に向かって動作させることで一気に全ての腕部１４を使用位置Ｐ１に配置することができる。従って、洗濯物等を干す作業の時短効果が得られる。
また、折り畳み位置Ｐ２に腕部１４が有る状態から、使用者が下部筒部１３を上部筒部１２に向かって動作させることで、使用者から腕部１４が遠ざかるように、即ち傘を開くような動作で腕部１４を使用位置Ｐ１に配置することができる。従って、腕部１４によって使用者が恐怖感を感じることがない。
さらに、腕部１４を下方から上方に持ち上げるようにして開き、使用位置Ｐ１に配置することができる。このため、床面に近い位置に配置される低竿等の被吊り下げ物１００にパラソルハンガー１を設置した際に、腕部１４をより床面から離れた位置に配置することができる。よって、洗濯物をこのような低竿に干すことが可能となる。
【００８１】
さらに本実施形態では、基端クリップ部６３及び先端クリップ部６４が設けられているため、洗濯物等をこれら基端クリップ部６３及び先端クリップ部６４によって腕部１４上にしっかりと固定することができる。
【００８２】
また、仮に基端クリップ部６３及び先端クリップ部６４を用いず、これら基端クリップ部６３及び先端クリップ部６４の上面６３ａ、６４ａに洗濯物等を載置した場合であっても、上面６３ａ、６４ａが平面状をなしているため洗濯物等に基端クリップ部６３及び先端クリップ部６４の干し痕が付きにくい。
【００８３】
さらに案内支持部２５、及び突起部４２では、各面同士の間の縁部がＲ面取りされているため、突起部４２が案内支持部２５によって滑らかに案内されるため、容易に使用位置Ｐ１と折り畳み位置Ｐ２との間で腕部１４を動作させることができる。
【００８４】
また、突起部４２の傾斜上面４３が形成されていることで、突起部４２と傾斜案内面３１との接触面積を低減できるため、突起部４２を案内支持部２５によって円滑に案内することができる。
【００８５】
さらに上部環状部１６の溝部５２ａには溝部曲面５２ｂが設けられているため、凸片７２ａを溝部曲面５２ｂに接触させつつ、凸片７２ａを溝部５２ａ内に円滑に案内することができる。
【００８６】
以上、本発明の実施形態について詳細を説明したが、本発明の技術的思想を逸脱しない範囲内において、多少の設計変更も可能である。
例えば、使用位置Ｐ１では、下部筒部１３は上部筒部１２の外周側から軸線Ｏの方向に重なるように配置可能となっていてもよい。この場合、突起部４２は下部筒部１３の内周面から径方向内側に突出するように設けられ、案内支持部２５は、上部筒部１２の外周面から径方向外側に突出するように設けられる。
【００８７】
また、突起部４２、及び案内支持部２５の数は上述の場合に限定されず、これら突起部４２及び案内支持部２５が少なくとも一つずつ設けられていればよい。
【００８８】
また、案内支持部２５の凹部３３ａは支持面３３上で係止面３４と周方向に離れた位置に形成されていてもよい。また支持面３３は凹部３３ａを必ずしも有していなくともよい。
【００８９】
また、上部環状部１６の溝部５２ａ、及び下部環状部１７の凸片７２ａの数量は上述の場合に限定されず、これら上部環状部１６及び下部環状部１７が少なくとも一つずつ設けられていればよい。また、上述の実施形態とは逆に、下部環状部１７が溝部５２ａを有し、この溝部５２ａに向かって突出する凸片７２ａを上部環状部１６が有していてもよい。
【００９０】
さらに、上述のパラソル型部材２は、例えばビーチパラソルや、傘等にも用いることが可能である。
【符号の説明】
【００９１】
１…パラソルハンガー
２…パラソル型部材
３…フック部
１１…軸部
１２…上部筒部（第一筒部）
１３…下部筒部（第二筒部）
１４…腕部
１５…支持腕部
１６…上部環状部（第一環状部）
１７…下部環状部（第二環状部）
２１…上部本体部
２２…拡径部
２３…段差部
２４…開口部
２５…案内支持部
３１…傾斜案内面
３２…周方向端面
３３…支持面
３３ａ…凹部
３４…係止面
３５…周方向背面
４１…下部本体部
４２…突起部
４３…傾斜上面
４４…径方向面
４５…下面
４６…周方向面
４７…環状突出部
４７ａ…環状凹部
４８…把持部
５１…内側筒部
５２…環状突出部
５２ａ…溝部（係合部）
５２ｂ…溝部曲面
５３…腕取付部
５３ａ…放射溝
５３ｂ…底面
５３ｃ…腕支持軸
５３ｄ…軸線
５３ｅ…下部環状凹部
５３ｆ…湾曲面
６１…基部
６２…腕部本体部
６３…基端クリップ部
６３ａ…上面
６４…先端クリップ部
６４ａ…上面
６５…支持片
６６…支持軸
６６ａ…軸線
７１…内側環状部
７２…支持腕取付部
７２ａ…凸片
７２ｂ…放射溝
７２ｃ…底面
７２ｄ…支持腕支持軸
７２ｅ…軸線
８１…フック本体
８１ａ…開口
８２…可動部
８３…弾性部材
８５…フック部開閉機構
８６…レバー部
８７…伝達部
１００…被吊り下げ物
Ｏ…軸線
Ｐ１…使用位置
Ｐ２…折り畳み位置
【図１】
0006647118.tif 000002
【図２】
0006647118.tif 000003
【図３】
0006647118.tif 000004
【図４】
0006647118.tif 000005
【図５】
0006647118.tif 000006
【図６】
0006647118.tif 000007
【図７】
0006647118.tif 000008